(57)【要約】【課題】遮音板の四方端部に上下横枠材と両側縦枠材を装着してなる遮音パネルであって、この遮音パネルの組立作業が簡単且つ確実に行えると共に、ボルト等が外部に露出させることのない体裁のよい外観を呈するようにする。【解決手段】上下横枠材１、２と両側縦枠材３、３との内面には遮音板の端部の挿入溝６Ａ、６Ｂ、６Ｃが設けられていてこれらの挿入溝６Ａ、６Ｂ、６Ｃに、断面Ｕ字状のスペーサ部材８、８Ａを被せている遮音板４の四方端部をそれぞれ挿嵌させることによって遮音パネルを組立てている。さらに、上記上下横枠材１、２は互いに結合可能な内外枠材部１Ａ、１Ｂ；２Ａ、２Ｂに分割されていて内側横枠材１Ａに設けている上記挿入溝６Ａに挿嵌した遮音板４の上端部をボルトによって固定しても、外側枠材部２Ａによって被覆して外部に露出させないように構成している。【選択図】    図２
2004360415.tif 000002
【特許請求の範囲】
【請求項１】
上下横枠材と両側縦枠材とによって形成された矩形状枠に遮音板を張設してなる遮音パネルにおいて、上記上下横枠材と両側縦枠材との内面側に、遮音板の四方端部をそれぞれ受け入れる挿入溝を備えていると共に、これらの挿入溝内に遮音板の端部を固定してあり、さらに、上記上側横枠材は外側枠材部と上記挿入溝を備えている内側枠材部とに分割されていてこれらの内外枠材部を結合させて上側横枠材を形成するように構成していることを特徴とする遮音パネル。
【請求項２】
挿入溝の溝幅は、遮音板の厚みよりも幅広く形成されていて、挿入溝に差し込む遮音板の端部と該挿入溝の溝壁との間の隙間にスペーサ部材を介在させていることを特徴とする請求項１に記載の遮音パネル。
【請求項３】
スペーサ部材は、遮音板の端面を被覆する頂面部と、この頂面部の幅方向の両端に遮音板の端部の表裏面を被覆して該端部を挟着する挟持片部とを一体に設けてなる断面Ｕ字状に形成されていることを特徴とする請求項２に記載の遮音パネル。
【請求項４】
スペーサ部材の挟持片部の外面に、挿入溝の対向内壁面に係止する抜け止め用突片を突設していると共に挟持片部の端部に上記挿入溝の開口端に形成している段部に係止するフランジ部を形成していることを特徴とする請求項２又は請求項３に記載の遮音パネル。
【請求項５】
上側横枠材の外側枠材部は、一定幅の帯板状の外側端面板部の前後両端に該端面板部から内方に直角に屈折した一定の突出幅を有する前後面板部を一体に設けてなる断面内向きコ字状に形成されている一方、内側枠材部は、外側枠材部の上記外側端面板部の前後幅に略等しい前後幅を有する内側端面板部の中間部に外方に向かって凹設した挿入溝を形成し、外側枠材部の前後面板部又は内側枠材部の内側端面板部のどちらか一方に係止溝を形成すると共に他方にこの係止溝に係止する係合突片を突設してなることを特徴とする請求項１に記載の遮音パネル。
【請求項６】
上側横枠材の内側枠材部に設けている挿入溝にスペーサ部材を介して差し込んだ遮音板の端部を挿入溝の溝壁にボルトによって固着していることを特徴とする請求項１、請求項２又は請求項５に記載の遮音パネル。
【請求項７】
両側縦枠材は、上下横枠材の前後幅に略等しい幅を有する内側垂直端面板部の幅方向の中間部に外側方に向かって挿入溝を凹設していると共に、挿入溝における前側の溝壁から外側方に一定幅を有するボルト固定用板部を突設してこのボルト固定用板部を支柱の後面に重ね合わせてボルトにより固着するように構成してあり、さらに、このボルト固定用板部の内外端から後方に向かって一定の前後幅を有する内外区画板部を突設し、これらの内外区画板部の先端間にカバー部材を着脱自在に装着していることを特徴とする請求項１に記載の遮音パネル。
【発明の詳細な説明】
【０００１】
【発明の属する技術分野】
本発明は、高速道路の路肩や側壁に設置して、走行する自動車等の騒音を遮断するための遮音パネルに関するものである。
【０００２】
【従来の技術】
従来から、高速道路を走行する自動車からの騒音が道路周辺の住宅等に伝わるのを防止するために、さらには道路側からの投物が路肩から落下するのを防止するために、道路の路肩部に道路に沿って遮音パネルを張りめぐらすことが行われている。このような遮音パネルとしては、上下横枠材と両側縦枠材とによって矩形状枠を形成し、この矩形状枠に遮音板を嵌め込んで、該遮音板の上端部を上側横枠材に複数個のボルトにより固着していると共に該遮音板の両側端部と下端部とを押し縁材によって両側縦枠材と下側横枠材とにおける受け部に押しつけてこれらの押し縁材と受け部とにより遮音板の両側端部と下端部とを挟着した状態にして該押し縁部をボルトにより両側縦枠材と下側横枠材とに固定した構造のものが知られている（例えば、特許文献１参照）。
【０００３】
【特許文献１】
特開平９−１５１４１８号公報（第３頁、第３図、第４図）。
【０００４】
【発明が解決しようとする課題】
しかしながら、このような遮音パネルの構造によれば、まず、上下横枠材と両側縦枠材とによって矩形状枠を形成したのち、この矩形枠状内に遮音板を嵌め込んでその四方端部を矩形枠状の四方の受け部上に支持させなければないないために、矩形状枠内に対する遮音板の嵌め込み作業が極めて煩わしく、作業員単独ではその作業を実施することは極めて困難である。
【０００５】
さらに、矩形状枠内に遮音板を嵌め込んだのち、該遮音板の両側端部や下端部を固定するには、遮音板の両側端部と下端部とを両側縦枠材と下側横枠材とに形成している受け部上に載せた状態にしてその上に押し縁材を配設し、この押し縁材を遮音板に面している両側縦枠材や下側横枠材の内周壁面にボルトによって固定することにより行われているために、遮音板の取付作業に一層手間と労力を要すると共に、多数本のボルト頭が外部に露出して外観を損なうという問題点がある。
【０００６】
本発明は上記のような問題点に鑑みてなされたもので、その目的とするところは、遮音板の四方端部に上下横枠材や両側縦枠材を矩形状枠に組み立てながら、押し縁材などを採用することなく固定し得るようにして遮音パネルを簡単且つ正確に組立てることができ、また、体裁のよい外観を呈する遮音パネルを提供するにある。
【０００７】
【課題を解決するための手段】
上記目的を達成するために、本発明の遮音パネルは、請求項１に記載したように、上下横枠材と両側縦枠材とによって形成された矩形状枠に遮音板を張設してなる遮音パネルにおいて、上記上下横枠材と両側縦枠材との内面側に、遮音板の四方端部をそれぞれ受け入れる挿入溝を備えていると共に、これらの挿入溝内に遮音板の端部を固定してあり、さらに、上記上側横枠材は外側枠材部と上記挿入溝を備えている内側枠材部とに分割されていてこれらの内外枠材部を結合させて上側横枠材を形成するように構成している。
【０００８】
このように構成した遮音パネルにおいて、請求項２に係る発明は、上記挿入溝の溝幅を遮音板の厚みよりも幅広く形成して、該挿入溝に差し込む遮音板の端部と該挿入溝の溝壁との間の隙間にスペーサ部材を介在させていることを特徴とし、請求項３に係る発明は、このスペーサ部材の形状に関するものであって、遮音板の端面を被覆する頂面部と、この頂面部の幅方向の両端に遮音板の端部の表裏面を被覆して該端部を挟着する挟持片部とを一体に設けてなる断面Ｕ字状に形成されていることを特徴とし、請求項４に係る発明は、このスペーサ部材の挟持片部の外面に、挿入溝の対向内壁面に係止する抜け止め用突片を突設していると共に挟持片部の端部に上記挿入溝の開口端に形成している段部に係止するフランジ部を形成していることを特徴とする。
【０００９】
請求項５に係る発明は、上記上側横枠材の外側枠材部を、一定幅の帯板状の外側端面板部の前後両端に該端面板部から内方に直角に屈折した一定の突出幅を有する前後面板部を一体に設けてなる断面内向きコ字状に形成している一方、内側枠材部は、外側枠材部の上記外側端面板部の前後幅に略等しい前後幅を有する内側端面板部の中間部に外方に向かって凹設した挿入溝を形成し、外側枠材部の前後面板部又は内側枠材部の内側端面板部のどちらか一方に係止溝を形成すると共に他方にこの係止溝に係止する係合突片を突設してなることを特徴とする。
【００１０】
上側横枠材に対する遮音板の上端部の固定構造としては、請求項６に記載したように、上側横枠材の挿入溝にスペーサ部材を介して差し込んだ遮音板の端部を挿入溝の溝壁にボルトによって固着した構造としてもよい。
【００１１】
また、請求項７に係る発明は、上記両側縦枠材の好ましい形状に関するものであって、上下横枠材の前後幅に略等しい幅を有する内側垂直端面板部の幅方向の中間部に外側方に向かって挿入溝を凹設していると共に、挿入溝における前側の溝壁から外側方に一定幅を有するボルト固定用板部を突設してこのボルト固定用板部を支柱の後面に重ね合わせてボルトにより固着するように構成してあり、さらに、このボルト固定用板部の内外端から後方に向かって一定の前後幅を有する内外区画板部を突設し、これらの内外区画板部の先端間にカバー部材を着脱自在に装着していることを特徴とする。
【００１２】
【作用】
上側横枠材を遮音板の上端部に対向させてその内面側に全長に亘って設けている挿入溝に遮音板の下端部を挿入する。この上側横枠材は、外側枠材部と、上記挿入溝を設けている内側枠材部とに分割されているので、内側枠材部を遮音板の上下端部に装着したのち、外側枠材部を結合させることによって容易に組み立てることができるばかりでなく、遮音板の上端部を上側横枠材にボルトによって固着してなる遮音パネルを構成する場合には、予め、内側枠材部の挿入溝に遮音板の上端部を挿入してボルトにより固着したのち、外側枠材部を取付けることによってボルトを覆い隠した体裁のよい遮音パネルを組み立てることができ、その上、内側枠材部の挿入溝の両側溝壁によって挟着された遮音板の端部を直接、ボルトにより固定することができるから、その固定作業が簡単かつ強固に行える。
【００１３】
また、上下横枠材と両側縦枠材との挿入溝の溝幅を遮音板の厚みよりも幅広く形成されているので、溝壁と遮音板の端部との間の隙間にスペーサ部材を介在させることによって強固に固定し、遮音板の四方周縁部に上下、両側枠材による矩形状枠を額縁状に装着してなる遮音パネルを構成することができる。
【００１４】
枠材の挿入溝と遮音板の端部との間に介在させるスペーサ部材は、断面Ｕ字状に形成されてあり、遮音板の端部に該端部を挟着した状態で被覆して遮音板を保護すると共に、このスペーサ部材の介在によって何等の熟練を要することなく遮音パネルを容易に組み立てることができ、また、スペーサ部材における遮音板の端部挟持片部の外面に、挿入溝の対向内壁面に係止する抜け止め用突片を突設しておくことによって、道路際等に遮音壁として施工したこの遮音パネルの遮音板に自動車が衝突しても、遮音板の四方端部が挿入溝から抜け出るのを防止する作用を奏する。
【００１５】
さらに、両側縦枠材には、その内面側に設けている上記挿入溝における前側の溝壁から外側方に、一定幅を有するボルト固定用板部を突設していると共に、このボルト固定用板部の内外端から後方に向かって一定の前後幅を有する内外区画板部を突設し、これらの内外区画板部の先端間にカバー部材を着脱自在に装着しているので、遮音パネルを隣接する支柱間に張設する場合、上記両側縦枠材に取付けているカバー部材を取り外すことによって、このカバー部材によって隠蔽されていたボルト固定用板部の後面を全面的に露出させ、この状態にして両側縦枠材の該ボルト固定用板部の前面を隣接する支柱の後面に当てがい、予め、これらのボルト固定用板部と支柱とに長さ方向に一定間隔毎に設けているボルト挿通孔を合致させて、ボルト・ナットで螺締することにより支柱間に遮音パネルを簡単に張設、固定することができる。
【００１６】
その上、遮音パネルの張設後、カバー部材を取付けることによってボルトが隠蔽され、体裁のよい外観を呈するばかりでなく、悪戯等による遮音パネルの取り外しを防止することができる。
【００１７】
【発明の実施の形態】
本発明の具体的な実施の形態を図面について説明すると、図１において、遮音パネルＡは、一定長さと厚みを有する上下横枠材１、２と両側縦枠材３、３とを矩形状に組み合わせて固定してなる矩形状枠に矩形状の遮音板４を張設してなるものであり、上下横枠材１、２及び両側縦枠材３、３はアルミニウム、又はアルミ合金製の中空フレーム材からなる一方、遮音板４はポリカーボネートやアクリル樹脂板等の透光性と遮音性を有する樹脂板から形成されている。なお、遮音パネルＡは後述する支柱Ｂに面する側を前面（正面）として説明する。
【００１８】
上記上下横枠材１、２は図２に示すように、同一断面形状で同一大きさ、同一寸法に形成されていると共に、外側枠材部１Ａ、２Ａと内側枠材部１Ｂ、２Ｂとに分割されていてこれらの内外枠材部１Ａ、１Ｂ；２Ａ、２Ｂを結合させることによって構成されてある。
【００１９】
詳しくは、これらの上下横枠材１、２の外側枠材部１Ａ、２Ａは、図３に示すように、前後方向に一定幅を有する一定長さの帯板状の外側端面板部１Ａ１  、２Ａ１  の前後両端に、内方に向かって、即ち、上側横枠材１の外側枠材部１Ａにおいては下方に向かって、下側横枠材２の外側枠材部２Ａにおいては上方に向かって、それぞれ外側端面板部１Ａ１  、２Ａ１  に対して直角に屈折した一定の突出幅を有する前後面板部１Ａ２  、１Ａ３  及び２Ａ２  、２Ａ３  を全長に亘って一体に設けてなる断面内向きコ字状に形成されてあり、さらに、前後面板部１Ａ２  、１Ａ３  及び２Ａ２  、２Ａ３  の突出端部に、内向きに開口した係止溝５Ａ、５Ａ；５Ｂ、５Ｂをそれぞれ形成してなるものである。なお、これらの係止溝５Ａ、５Ｂはその開口端部の溝幅を狭く形成した断面内向きＣ字状に形成されている。
【００２０】
一方、内側枠材部１Ｂ、２Ｂは、図４に示すように、外側枠材部１Ａ、２Ａの上記外側端面板部１Ａ、２Ａの前後幅に略等しい前後幅を有する内側端面板部１Ｂ１  、２Ｂ１  の幅方向の中間部に、外方に向かって、即ち、上側横枠材１の内側枠材部１Ｂにおいては上方に向かって、下側横枠材２の内側枠材部２Ｂにおいては下方に向かって、それぞれ遮音板４の上下端部を全長に亘って受け入れる一定深さの挿入溝６Ａ、６Ｂを形成している。
【００２１】
これらの挿入溝６Ａ、６Ｂは、一定幅を有する溝底部６Ａ１  、６Ｂ１  の前後両端に両側溝壁６Ａ２  、６Ａ２  ；６Ｂ２  、６Ｂ２  の外端をそれぞれ直角に連設させていると共に両側溝壁６Ａ２  、６Ａ２  ；６Ｂ２  、６Ｂ２  の内端間を内側端面板部１Ｂ１  、２Ｂ１  との連設部から内方に向かって開口させていると共に、その開口両端部に段部６Ａ３  、６Ｂ３  をそれぞれ形成してあり、これらの挿入溝６Ａ、６Ｂの溝幅は上記遮音板４の厚みよりも幅広く形成されている。従って、これらの挿入溝６Ａ、６Ｂに遮音板４の上下端部をそれぞれ挿入した時に、該遮音板４の上下端部と挿入溝６Ａ、６Ｂの溝壁との対向面間に一定幅の隙間が形成され、この隙間に合成樹脂製或いはゴム製のスペーサ部材８を介在させることにより、遮音板４の端部を挿入溝６Ａ、６Ｂ内にそれぞれ固定するように構成している。
【００２２】
また、上記内側端面板部１Ｂ１  、２Ｂ１  の両端に外方に向かって上記外側枠材部１Ａ、２Ａの前後面板部１Ａ２  、１Ａ３  及び２Ａ２  、２Ａ３  の突出端部に設けている係止溝５Ａ、５Ａ；５Ｂ、５Ｂに係止する拡大頭部７Ａ１  、７Ｂ１  を有する係合突片７Ａ、７Ｂを突設している。なお、上記図３、図４は、上側横枠材１を構成する内外枠部材１Ａ、１Ｂを示しているが、下側横枠材２においては、これらの図を上向きに反転させた形状となる。
【００２３】
上記スペーサ部材８は図５、図６に示すように、遮音板４の端面を被覆する頂面部８ａと、この頂面部８ａの幅方向の両端（前後両端）に遮音板４の端部の表裏面を被覆して該端部を挟着する挟持片部８ｂ、８ｂとを一体に設けてなる断面Ｕ字状に形成されてあり、さらに、挟持片部８ｂ、８ｂの端部に上記挿入溝６Ａ、６Ｂの開口両端部に形成した段部６Ａ３  、６Ｂ３  に係止するフランジ部８ｃ、８ｃを設けていると共に、挟持片部８ｂ、８ｂの外面に挿入溝６Ａ、６Ｂの両側溝壁の内面に係止する開口端側に向かって傾斜した断面ヒレ状の抜け止め用突片８ｄ、８ｄを突設している。
【００２４】
一方、上記のように構成した上下横枠材１、２と共に矩形状枠を形成するための両側縦枠材３、３は、図８に示すように、上下横枠材１、２の前後幅に略等しい前後幅を有する内側垂直端面板部３Ａの幅方向の中間部に外側方に向かって内向きに開口した垂直な挿入溝６Ｃを凹設している。この挿入溝６Ｃは、上記上下横枠材１、２に設けている挿入溝６Ａ、６Ｂと同一溝幅を有すると共にこれらの挿入溝６Ａ、６Ｂと同一垂直面上で連通する位置に設けられてあり、その垂直な溝底部６Ｃ１  の前後両端に両側溝壁６Ｃ２  、６Ｃ２’の外側端をそれぞれ直角に連設させていると共に両側溝壁６Ｃ２  、６Ｃ２’の内端間を内側垂直端面板部３Ａから内方に向かって開口させている。即ち、内側垂直端面板部３Ａはこの挿入溝６Ｃの開口端部分を切除してその切除部から挿入溝６Ｃの開口端を内方に臨ませた構造としている。
【００２５】
さらに、挿入溝６Ｃの開口両端部に段部６Ｃ３  、６Ｃ３’をそれぞれ形成していると共に、溝幅は上記遮音板４の厚みよりも幅広く形成されていて、該挿入溝６Ｃに遮音板４の側端部を挿入した時に、該遮音板４の側端部と挿入溝６Ｃの溝壁との対向面間に上記上下横枠材１、２の挿入溝６Ａ、６Ｂの場合と同じく、一定幅の隙間が形成され、この隙間に合成樹脂製或いはゴム製のスペーサ部材８Ａを介在させることにより、遮音板４の端部を挿入溝６Ｃ内に固定するように構成している。
【００２６】
このスペーサ部材８Ａは、上記上下挿入溝６Ａ、６Ｂに差し込んだスペーサ部材８と同一断面形状、即ち、断面Ｕ字状に形成されてあり、遮音板４の側端面を被覆する頂面部８１と、この頂面部８１の幅方向の両端（前後両端）に遮音板４の側端部の表裏面を被覆して該側端部を挟着する挟持片部８２、８２とを一体に設けてなり、さらに、挟持片部８２、８２の端部に上記垂直な挿入溝６Ｃの開口両端部に形成した段部６Ｃ３  、６Ｃ３’に係止するフランジ部８３、８３を設けていると共に、挟持片部８２、８２の外面に挿入溝６Ｃの両側溝壁の内面に係止する開口端側に向かって傾斜した断面ヒレ状の抜け止め用突片８４、８４を突設している。
【００２７】
また、挿入溝６Ｃの前側の溝壁６Ｃ２  の外側端から外側方に向かって一定幅を有するボルト固定用板部３Ｂを突設してこのボルト固定用板部３Ｂに縦方向に一定間隔毎にボルト挿通孔１０を設けてあり、さらに、該ボルト固定用板部３Ｂの外側端と内側端とに、後方に向かって一定の前後幅を有する区画板部３Ｃ、３Ｃ’  を突設している。なお、内側の区画板部３Ｃ’  はその前半部を挿入溝６Ｃの溝底部６Ｃ１  によって形成されている。
【００２８】
さらに、上記内外区画板部３Ｃ、３Ｃ’  の突出先端面には、カバー係止溝３１、３１’が設けられてあり、このカバー係止溝３１、３１’  に、カバー部材９の片面における内外側部に突設している係止突起９ａ、９ｂを着脱自在に係止させて、ボルト固定用板部３Ｂと内外区画板部３Ｃ、３Ｃ’  で囲まれた空間部１１をカバー部材９によって隠蔽している。
【００２９】
以上のように構成した上下横枠材１、２と両側縦枠材３、３とを矩形状の遮音板４の四方端部に額縁状に取付けて遮音パネルＡを組み立てるには、遮音板４の上下端部をスペーサ部材８、８を介して上下横枠材１、２の挿入溝６Ａ、６Ｂにそれぞれ挿嵌させることによって固定すると共に、遮音板４の両側端部をスペーサ部材８Ａ、８Ａを介して両側縦枠材３、３の挿入溝６Ｃ、６Ｃにそれぞれ挿嵌させることによって固定し、しかるのち、上下横枠材１、２と両側縦枠材３、３との直角に連なる対向端面を接合させてビス等により一体に連結する。
【００３０】
詳しくは、遮音板４の上下端部に上下横枠材１、２を装着する場合、まず、これらの上下横枠材１、２を構成している内外枠部材１Ａ、１Ｂ；２Ａ、２Ｂに分離させておく一方、遮音板４の上下端部にスペーサ部材８、８を密着状態に被せておき、このスペーサ部材８、８を上記内側枠部材１Ｂ、２Ｂに設けている上記挿入溝６Ａ、６Ｂにそのフランジ部８ｃ、８ｃが段部６Ａ３  、６Ｂ３  内に受止されるまで差し込むことによって嵌合させ、しかるのち、内側枠材部１Ｂ、２Ｂに外側枠材部１Ａ、２Ａを被せることによって上下横枠材１、２に組立てる。
【００３１】
この際、図７に示すように、内側枠材部１Ｂ（２Ｂ）における前後係合突片７Ａ、７Ｂの拡大頭部７Ａ１  、７Ｂ１  の一端側から外側枠材部１Ａ（２Ａ）の前後面板部１Ａ２  、１Ａ３（２Ａ２  ）（２Ａ３  ）に形成している係止溝５Ａ、５Ｂの対向端を被せるようにして長さ方向にスライドさせることにより、内外枠部材１Ａ、２Ａ（１Ｂ、２Ｂ）同士を連結して上下横枠材１、２を組み立てる。
【００３２】
なお、このように内側枠材部１Ｂ（２Ｂ）に対して外側枠材部１Ａ（２Ａ）を長さ方向にスライドさせながら係止溝５Ａ、５Ｂと係合突片７Ａ、７Ｂの拡大頭部７Ａ１  、７Ｂ１  とを係止状態に連結させることなく図９、図１０に示すように上記外側枠材部１Ａ（２Ａ）の前後面板部に形成している係止溝５Ａ’、５Ｂ’をその開口幅が弾性的に拡縮可能な形状に形成しておく一方、内側枠材部１Ｂ（２Ｂ）における前後係合突片７Ａ、７Ｂの拡大頭部７Ａ１’、７Ｂ１’を先端から基端側に向かって幅広くなる方向に傾斜した傾斜面７ａ、７ｂを有する形状に形成しておき、この拡大頭部７Ａ１’、７Ｂ１’を全長に亘って上記係止溝５Ａ’、５Ｂ’に対向させた状態から内側枠材部１Ｂ（２Ｂ）を外方に向かって移動させることにより、傾斜面７ａ、７ｂで係止溝５Ａ’、５Ｂ’の開口端を押し拡げながら拡大頭部７Ａ１’、７Ｂ１’を係止溝５Ａ’、５Ｂ’内に挿入、係止させるように構成しておいてもよい。
【００３３】
また、上側横枠材１における内側枠材部１Ｂにスペーサ部材８を介して挿嵌している遮音板４の上端部は、挿入溝６Ａの溝壁６Ａ２  、６Ａ２  間に貫通した状態で装着している複数個のボルト１２によってさらに強固に固定しておいてもよい。この構成を採用することで、遮音板４が矩形状枠に機械的に固定されることとなり、遮音板４の脱落が確実に防止される。
【００３４】
詳しくは図５、図６に示すように、挿入溝６Ａの前後溝壁６Ａ２  、６Ａ２  に前後に対向してボルト固定タップ孔１３とボルト挿通孔１４とをそれぞれ設けていると共にこれらのボルト固定タップ孔１３とボルト挿通孔１４とを一対として、複数対、挿入溝６Ａの前後溝壁６Ａ２  、６Ａ２  に長さ方向に一定間隔毎に設けておくと共に、遮音板４の上端部とスペーサ部材８の挟持片部８ｂ、８ｂとにおけるこれらのボルト固定タップ孔、ボルト挿通孔１３、１４と合致する部分にボルト挿通孔１５、１６をそれぞれを設けておく。
【００３５】
そして、上端部にスペーサ部材８を被せている遮音板４の上端部を、内側枠材部１Ｂの挿入溝６Ａに挿嵌したのち、挿入溝６Ａの一方の溝壁に設けているボルト挿通孔１４から遮音板４の上端部とスペーサ部材８の挟持片部８ｂ、８ｂに設けているボルト挿通孔１５、１６を通してボルト１２を挿入し、該ボルト１２の先端部をボルト固定タップ孔２２に螺締することによって遮音板４の上端部を挿入溝６Ａ内に強固に固定するものである。このボルト１２による遮音板４の上端部の固定作業は、挿入溝６Ａを設けている内側枠材部１Ｂが外側枠材部１Ａによって被覆される前に行うので、能率よく且つ確実に行うことができる。
【００３６】
このように、遮音板４の上下端部に内外枠部材１Ａ、１Ｂ；２Ａ、２Ｂを組み合わせてなる上下横枠材１、２を装着したのち、遮音板４の両側端部に両側縦枠材３、３を装着することによって、遮音パネルＡを構成する。なお、遮音板４の四方端部に対する上下横枠材１、２と両側縦枠材３、３との装着手順は、上記手順に限定されることはない。
【００３７】
遮音板４の両側端部に対する両側縦枠材３、３の装着は、予め、遮音板４の両側端部に上記スペーサ部材８Ａ、８Ａをそれぞれ密着状態に被せておき、このスペーサ部材８Ａ、８Ａを上記両側縦枠材３、３の内側垂直端面板部３Ａ、３Ａの中間部から外方に凹設している挿入溝６Ｃ内にそのフランジ部８３、８３が段部６Ｃ３  、６Ｃ３’内に受止されるまで挿嵌させることによって行われる。
【００３８】
このように、遮音板４の両側端部に全長に亘って両側縦枠材３、３を装着すると、これらの両側縦枠材３、３の上下端部における対向内面が上下横枠材１、２の両端面にそれぞれ当接するので、この接合部間をビス等によって連結することによって、遮音板４の四方端部に枠材１〜３を額縁状に装着してなる遮音パネルＡを構成するものである。
【００３９】
次に、この遮音パネルＡを高速道路端等に沿って一定間隔毎に立設している支柱Ｂ、Ｂ・・・における隣接する支柱Ｂ、Ｂ間に施工する手順を説明する。支柱Ｂは図８にその一部を示すように、一定幅を有するウエブＢ１の前後両端にフランジＢ２、Ｂ２を一体に設けてなるＨ形鋼からなり、各支柱Ｂにおける後側フランジＢ２の両側フランジ部には、遮音パネルＡの両側縦枠材３、３におけるボルト固定用板部３Ｂ、３Ｂに設けているボルト挿通孔１０、１０と長さ方向に同一間隔毎にボルト取付孔ｂが設けられている。
【００４０】
そして、まず、遮音パネルＡにおける両側縦枠材３、３のボルト固定用板部３Ｂ、３Ｂの後面を被覆しているカバー部材９、９を取り外しておき、この状態で遮音パネルＡの両側縦枠材３、３のボルト固定用板部３Ｂ、３Ｂを隣接する支柱Ｂ、Ｂの後側フランジＢ２、Ｂ２における対向するフランジ部の後面に道路側から当てがって、該ボルト固定用板部３Ｂ、３Ｂにそれぞれ穿設している各ボルト挿通孔１０をフランジ部に穿設している各ボルト取付孔ｂに合致させ、ボルト固定用板部３Ｂ、３Ｂの後面側からボルト１３を各ボルト挿通孔１０からボルト取付孔ｂに挿通してフランジ部の前面に配設しているナット体１４に螺締することにより、支柱Ｂ、Ｂの後側フランジＢ２、Ｂ２における対向するフランジ部間に遮音パネルＡを張設、固定し、しかるのち、両側のボルト固定用板部３Ｂ、３Ｂ上にカバー部材９、９を取付けてボルト１３を隠蔽する。
【００４１】
なお、上記ナット体１４はＵ字状のクリップ（図示せず）の一端部に取付けられてあり、このクリップを支柱Ｂのフランジ部に差し込んで該フランジ部を挟着すると共にナット体１４の螺子孔をフランジ部のボルト取付孔ｂに合致させている。
【００４２】
このように、各隣接する支柱Ｂ、Ｂの後側フランジＢ２、Ｂ２における対向するフランジ部間に遮音パネルＡを張設、固定する作業を支柱Ｂの長さ方向に複数枚の遮音パネルＡが積み重なるように順次行って遮音壁を構築するものである。
【００４３】
上記実施の形態において、上下横枠材１、２の外側枠材部１Ａ、２Ａに内向きに開口した係止溝５Ａ、５Ｂを形成し、内側枠材部１Ｂ、２Ｂに外方に向かった係合突片７Ａ、７Ｂを形成したが、これらの係止溝、係合突片はこの構成に限定されることなく、いかなる形態をも取り得る。例えば、外側枠材部１Ａ、２Ａに係合突片７Ａ、７Ｂを形成し、内側枠材部１Ｂ、２Ｂに係止溝５Ａ、５Ｂを形成してもよいし、その向きも横向きであってもよく、要するに外側枠材部１Ａ、２Ａと内側枠材部１Ｂ、２Ｂとをボルト等を使用することなく係合できればい。
【００４４】
【発明の効果】
以上のように本発明の遮音パネルは、請求項１に記載したように、上下横枠材と両側縦枠材とによって形成された矩形状枠に遮音板を張設してなる遮音パネルにおいて、上記上下横枠材と両側縦枠材との内面側に、遮音板の四方端部をそれぞれ受け入れる挿入溝を備えていると共に、これらの挿入溝内に遮音板の端部を固定しているので、予め、上下横枠材と両側縦枠材とによって矩形状枠を形成することなく、遮音板の四方端部に上下横枠材と両側縦枠材とを装着することによって何等の熟練を要することなく容易に遮音パネルを組み立てることができる。
【００４５】
さらに、上記上側横枠材は、外側枠材部と、上記挿入溝を設けている内側枠材部とに分割されているので、内側枠材部を遮音板の端部に装着したのち、外側枠材部を結合させることによって手軽に組み立てることができるばかりでなく、遮音板の上端部を上側横枠材にボルトによって固着してなる遮音パネルを構成する場合には、予め、内側枠材部の挿入溝に遮音板の上端部を挿入してボルトにより固着したのち、外側枠材部を取付けることによってボルトを覆い隠した体裁のよい遮音パネルを組み立てることができ、しかも、内側枠材部の挿入溝の両側溝壁によって挟着された遮音板の端部を直接、ボルトにより固定することができるから、その固定作業が正確にかつ強固に行える。
【００４６】
請求項２に係る発明によれば、上記各枠材の内面側に設けている挿入溝の溝幅を遮音板の厚みよりも幅広く形成し、挿入溝に差し込む遮音板の端部と該挿入溝の溝壁との間の隙間にスペーサ部材を介在させているので、遮音板がグラつくことなく強固に固定でき、遮音板の脱落をさらに防止できる。
【００４７】
請求項３に記載した発明によれば、上記各枠材の挿入溝と遮音板との端部との間に介在させるスペーサ部材は、遮音板の端面を被覆する頂面部と、この頂面部の幅方向の両端に遮音板の端部の表裏面を被覆して該端部を挟着する挟持片部とを一体に設けてなる断面Ｕ字状に形成されているので、遮音板の端部を挟着した状態で被覆して該端部をこのスペーサ部材によって保護しておくことができ、その上、請求項４に係る発明によれば、このスペーサ部材における遮音板の端部挟持片部の外面に、挿入溝の対向内壁面に係止する抜け止め用突片を突設しているので、道路際等に遮音壁として施工したこの遮音パネルの遮音板に自動車が衝突しても、遮音板の四方端部が挿入溝から抜け出るのを強固に防止する作用を奏することができる。
【００４８】
また、請求項５に係る発明によれば、上記上下横枠材の外側枠材部は、一定幅の帯板状の外側端面板部の前後両端に該端面板部から内方に直角に屈折した一定の突出幅を有する前後面板部を一体に設けてなる断面内向きコ字状に形成されている一方、内側枠材部は、外側枠材部の上記外側端面板部の前後幅に略等しい前後幅を有する内側端面板部の中間部に外方に向かって凹設した挿入溝を形成し、外側枠材部の前後面板部又は内側枠材部の内側端面板部のどちらか一方に係止溝を形成すると共に他方にこれと係合する係合突片を突設してなるものであるから、この係合突片に係止溝を対向させた状態にして該係止溝に係合突片を差し込むなどの方法により、簡単且つ正確に上下横枠材を組み立てることができ、請求項６に記載したように、内側枠材部に設けている挿入溝にスペーサ部材を介して差し込んだ遮音板の端部を挿入溝の溝壁にボルトによって固着しておいても、内側枠材部を被覆した外側枠材部によってこのボルト取付部分を完全に隠蔽して体裁のよい外観を呈する遮音板を得ることができる。
【００４９】
さらに、請求項７に係る発明によれば、上記両側縦枠材は、上下横枠材の前後幅に略等しい幅を有する内側垂直端面板部の幅方向の中間部に外側方に向かって挿入溝を凹設していると共に、該挿入溝における前側の溝壁から外側方に一定幅を有するボルト固定用板部を突設してこのボルト固定用板部を支柱の後面に重ね合わせてボルトにより固着するように構成してあり、さらに、このボルト固定用板部の内外端から後方に向かって一定の前後幅を有する内外区画板部を突設し、これらの内外区画板部の先端間にカバー部材を着脱自在に装着しているので、支柱間にこの遮音パネルを張設する場合、カバー部材を取り外せばボルト固定用板部を全面的に露出させることができ、この状態にして支柱の後面に該ボルト固定用板部を当てがうことにより、このボルト固定用板部の後面側から支柱に対してボルトによる遮音パネルの固定作業が能率よく且つ強固に行うことができる。
【００５０】
さらに、支柱間に遮音パネルの張設、固定後に、上記カバー部材を装着することによって、遮音パネルを支柱に固定している上記ボルトが完全に隠蔽されると共に外部からはカバー部材があたかも遮音パネルの両側縦枠材の一部である外観を呈し、悪戯等による遮音パネルの取り外しを防止することができる。
【図面の簡単な説明】
【図１】遮音パネルを背面側から見た状態の簡略斜視図、
【図２】遮音パネルの一部を省略する縦断側面図、
【図３】上下横枠材における外側枠材部の縦断正面図、
【図４】上下横枠材における内側枠材部の縦断正面図、
【図５】内側枠材部に遮音板の端部を挿嵌する状態の縦断正面図、
【図６】内側枠材部に遮音板の端部を挿嵌した状態の縦断正面図、
【図７】外側枠材部と内側枠材部とを組み立てる状態の一部の斜視図、
【図８】支柱間に取付けた状態の一部を省略した遮音パネルの横断面図、
【図９】内外枠材部の係合部分の別な実施の形態を示す縦断正面図、
【図１０】内外枠材部の係合部分のさらに別な実施の形態を示す縦断正面図。
【符号の説明】
Ａ  遮音パネル
Ｂ  支柱
１、２  上下横枠材
１Ａ、２Ａ  外側枠材部
１Ｂ、２Ｂ  内側枠材部
３、３  両側縦枠材
３Ｂ  ボルト固定用板部
４  遮音板
６Ａ、６Ｂ、６Ｃ  挿入溝
８、８Ａ  スペーサ部材
９  カバー部材
【図１】
2004360415.tif 000003
【図２】
2004360415.tif 000004
【図３】
2004360415.tif 000005
【図４】
2004360415.tif 000006
【図５】
2004360415.tif 000007
【図６】
2004360415.tif 000008
【図７】
2004360415.tif 000009
【図８】
2004360415.tif 000010
【図９】
2004360415.tif 000011
【図１０】
2004360415.tif 000012